(57)【要約】【課題】光変換部材が脱落しても、出射した直後のレーザ光の密度を低減して、所望の安全性を保つことができる照明装置を提供すること。【解決手段】照明装置１は、励起光を出射する光源１０と、励起光の出射方向に対して光源１０の前方且つ光源１０の光軸１１上にて光源１０と隣接または隣り合うように配設され、励起光を照射されることで励起光の波長を所望に変換して励起光とは異なるピーク波長の光を出射する波長変換部材３０と、波長変換部材３０が光源１０の光軸１１上から脱落した際、光源１０の前方、且つ光源１０の光軸１１上にて光源１０と隣接または隣り合うように介在し、光源１０から出射した直後の励起光の密度を低減する密度低減部５０とを有している。【選択図】      図１Ａ
2012074620.tif 000002
【特許請求の範囲】
【請求項１】
励起光を出射する光源と、
前記励起光の出射方向に対して前記光源の前方且つ前記光源の光軸上にて前記光源と隣接または隣り合うように配設され、前記励起光を照射されることで前記励起光の波長を所望に変換して前記励起光とは異なる波長の光を出射する波長変換部材と、
前記波長変換部材が前記光軸上から脱落した際、前記光源の前方、且つ前記光軸上にて前記光源と隣接または隣り合うように介在し、前記光源から出射した直後の前記励起光の密度を低減する密度低減部と、
を具備することを特徴とする照明装置。
【請求項２】
前記光源は、前記励起光を出射する出射端面を有し、
前記波長変換部材は、前記波長変換部材が前記光軸上に配設されている際、前記励起光が入射し、前記励起光の出射方向に対して前記出射端面の前方に且つ前記出射端面と隣接または隣り合うように配設される入射端面を有し、
前記密度低減部は、
前記入射端面と入れ替わって前記出射端面と隣接または隣り合い、前記励起光が入射することで、前記出射端面から出射した直後の励起光の密度を低減する低減本体部と、
前記波長変換部材が前記光軸上から脱落した際、前記低減本体部が前記入射端面に入れ替わって前記出射端面と隣接または隣り合うように前記低減本体部を可動する可動部とを有していることを特徴とする請求項１に記載の照明装置。
【請求項３】
前記光源の前記出射端面と前記密度低減部と前記波長変換部材とを内包するように保持し、前記出射端面を固定している保持部材をさらに具備し、
前記出射端面と前記入射端面とが隣接または隣り合っている際、前記可動部は、前記低減本体部を前記波長変換部材に向かって押圧し、前記低減本体部を介して前記波長変換部材を前記保持部材に固定することを特徴とする請求項２に記載の照明装置。
【請求項４】
前記出射端面と前記入射端面とが隣接または隣り合っている際、前記低減本体部と前記可動部とは前記出射端面と前記入射端面とに対して前記光軸に直交する方向である側方側に配設されていることを特徴とする請求項３に記載の照明装置。
【請求項５】
前記保持部材は、前記光源の前記出射端面と前記密度低減部とを内包するように保持する保持部材本体と、前記波長変換部材を内包するように保持し、前記保持部材本体と嵌合する保持部材キャップとを有していることを特徴とする請求項４に記載の照明装置。
【請求項６】
前記可動部は、前記光軸に直交する方向に伸縮することで、前記光軸に直交する方向に前記低減本体部を前記光軸側に押圧または前記光軸側から引っ張る線形可動部を有していることを特徴とする請求項５に記載の照明装置。
【請求項７】
前記可動部は、前記光軸に対して直交する平面上において、前記低減本体部を回動させる回動可動部を有していることを特徴とする請求項５に記載の照明装置。
【請求項８】
前記可動部は、前記光軸を含む平面上において、前記低減本体部を回動させる回動可動部を有していることを特徴とする請求項５に記載の照明装置。
【請求項９】
前記低減本体部は磁性を有し、前記可動部は前記低減本体部を引き合う磁力を有していることを特徴とする請求項５に記載の照明装置。
【請求項１０】
前記低減本体部は、前記可動部を兼ねており、前記可動部となる弾性力を有していることを特徴とする請求項５に記載の照明装置。
【請求項１１】
前記低減本体部は、前記出射端面と隣接または隣り合い、前記励起光が前記出射端面から自身に入射した際、前記出射端面から自身に入射した前記励起光を散乱することを特徴とする請求項６乃至１０のいずれかに記載の照明装置。
【請求項１２】
前記低減本体部は、前記出射端面と隣接または隣り合い、前記励起光が前記出射端面から自身に入射した際、前記出射端面から自身に入射した前記励起光を反射することを特徴とする請求項６乃至１０のいずれかに記載の照明装置。
【請求項１３】
前記低減本体部は、前記出射端面と隣接または隣り合い、前記励起光が前記出射端面から自身に入射した際、前記出射端面から自身に入射した前記励起光を吸収することを特徴とする請求項６乃至１０のいずれかに記載の照明装置。
【請求項１４】
前記低減本体部は、前記出射端面と隣接または隣り合い、前記励起光が前記出射端面から自身に入射した際、前記出射端面から自身に入射した前記励起光を、前記励起光とは異なる波長の光に変換することを特徴とする請求項６乃至１０のいずれかに記載の照明装置。
【発明の詳細な説明】
【技術分野】
【０００１】
本発明は、光変換部材が光源の光軸上から脱落した際に光源から出射した直後のレーザ光の密度を低減する照明装置に関する。
【背景技術】
【０００２】
近年、励起光源と蛍光体とを組み合わせた小型の照明装置が開発されている。このような照明装置は、例えば特許文献１に開示されている。  
特許文献１には、光ファイバから出射される光と異なる波長の光を放出でき、かつ、光出力の高い発光装置及びそれに用いる発光装置が開示されている。
【０００３】
この発光装置１００を図６に示す。この発光装置１００は、光ファイバ１１０を保持する光ファイバ保持部材１２０（フェルール）と、例えば蛍光体といった光変換部材１４０と、光ファイバ保持部材１２０及び光変換部材１４０が挿入可能な内孔を有するキャップ１３０とを有している。
【０００４】
キャップ１３０は、内孔の一端に配設された、光変換部材１４０で変換された光を取り出し可能な開口部１３２と、開口部１３２の内側に向って突出した少なくとも一個以上の係止部１３１とを有している。  
光変換部材１４０がキャップ１３０の内孔に配置される際、係止部１３１が少なくとも１本あれば、光変換部材１４０はキャップ１３０の内孔に固定され、係止部１３１によって生じる光の遮蔽は軽減される。
【０００５】
なお一般的に、光ファイバに入射し光変換部材を発光させる好適な光源としては、光ファイバと同等の大きさの発光点を有し、平行光に近く、光ファイバに高効率に入射する、例えば半導体レーザ光が用いられる。
【先行技術文献】
【特許文献】
【０００６】
【特許文献１】特開２００８−１４７２８９号公報
【発明の概要】
【発明が解決しようとする課題】
【０００７】
上述した特許文献１において、係止部１３１は、光を遮蔽するため、極力小さいものが良い。しかしながら係止部１３１が小さいと、光変換部材１４０がキャップ１３０から脱落する虞が生じる。  
また光変換部材１４０は発光すると発熱し、発熱によって経時的に各部材同士、例えば光変換部材１４０と内孔との固着力が低下し、光変換部材１４０がキャップ１３０から脱落する虞が生じる。
【０００８】
このように部材や使用方法によって、光変換部材１４０がキャップ１３０から脱落する虞が生じる。光変換部材１４０が脱落すると、光源から出射した直後の密度を維持した状態のレーザ光が例えば使用者の目を照射する虞が生じ、所望の安全性を保てない虞が生じる。所望の安全性を保てないと、例えばレーザ光が視神経を傷つけてしまうといったように使用者に負担がかかってしまう。このように光源から出射した直後のレーザ光の密度は、必要に応じて、低減する必要がある。
【０００９】
本発明は、これらの事情に鑑みてなされたものであり、光変換部材が脱落しても、出射した直後のレーザ光の密度を低減して、所望の安全性を保つことができる照明装置を提供することを目的とする。
【課題を解決するための手段】
【００１０】
本発明は目的を達成するために、励起光を出射する光源と、前記励起光の出射方向に対して前記光源の前方且つ前記光源の光軸上にて前記光源と隣接または隣り合うように配設され、前記励起光を照射されることで前記励起光の波長を所望に変換して前記励起光とは異なる波長の光を出射する波長変換部材と、前記波長変換部材が前記光軸上から脱落した際、前記光源の前方、且つ前記光軸上にて前記光源と隣接または隣り合うように介在し、前記光源から出射した直後の前記励起光の密度を低減する密度低減部と、を具備することを特徴とする照明装置を提供する。
【発明の効果】
【００１１】
本発明によれば、光変換部材が脱落しても、出射した直後のレーザ光の密度を低減して、所望の安全性を保つことができる照明装置を提供することができる。
【図面の簡単な説明】
【００１２】
【図１Ａ】図１Ａは、本発明の第１の実施形態に係る照明装置の概略図である。
【図１Ｂ】図１Ｂは、図１Ａに示す状態から波長変換部材が光軸上から脱落した際の照明装置の概略図である。
【図２Ａ】図２Ａは、本発明の第２の実施形態に係る照明装置の概略図である。
【図２Ｂ】図２Ｂは、図２Ａに示す２Ｂ−２Ｂ線における断面図である。
【図２Ｃ】図２Ｃは、図２Ａに示す状態から波長変換部材が光軸上から脱落した際の照明装置の概略図である。
【図２Ｄ】図２Ｄは、図２Ｃに示す２Ｄ−２Ｄ線における断面図である。
【図３Ａ】図３Ａは、本発明の第３の実施形態に係る照明装置の概略図である。
【図３Ｂ】図３Ｂは、図３Ａに示す状態から波長変換部材が光軸上から脱落した際の照明装置の概略図である。
【図４Ａ】図４Ａは、本発明の第４の実施形態に係る照明装置の概略図である。
【図４Ｂ】図４Ｂは、図４Ａに示す状態から波長変換部材が光軸上から脱落した際の照明装置の概略図である。
【図５Ａ】図５Ａは、本発明の第５の実施形態に係る照明装置の概略図である。
【図５Ｂ】図５Ｂは、図５Ａに示す状態から波長変換部材が光軸上から脱落した際の照明装置の概略図である。
【図６】図６は、従来の発光装置を示す図である。
【発明を実施するための形態】
【００１３】
以下、図面を参照して本発明の実施形態について詳細に説明する。  
図１Ａと図１Ｂとを参照して第１の実施形態について説明する。なお以下において、励起光の進行方向において、進行方向前側を前方、進行方向後側を後方と称する。光源１０の光軸１１に直交する方向を側方１１ａとする。なお光軸１１は、光源１０に含まれる光ファイバ１３の光軸でもある。
【００１４】
照明装置１は、励起光を出射する光源１０と、励起光の出射方向に対して光源１０の前方且つ光源１０の光軸１１上にて光源１０と隣接または隣り合うように配設され、励起光を照射されることで励起光の波長を所望に変換して励起光とは異なるピーク波長の光を出射する波長変換部材３０と、波長変換部材３０が光源１０の光軸１１上から脱落した際、波長変換部材３０と入れ替わって光源１０の前方、且つ光源１０の光軸１１上にて光源１０と隣接または隣り合うように介在し、光源１０から出射した直後の励起光の密度を低減する密度低減部５０とを有している。
【００１５】
また照明装置１は、光源１０の出射端面１０ａと密度低減部５０と波長変換部材３０とを内包するように保持し、光源１０が励起光を出射する出射端面１０ａを固定する例えば金属製の保持部材７０を有している。この保持部材７０は、光源１０の出射端面１０ａと密度低減部５０とを内包するように保持する保持部材本体７１と、波長変換部材３０を内包するように保持する保持部材キャップ７３とを有している。光源１０と密度低減部５０とを保持している保持部材本体７１は、密度低減部５０を保持している保持部材キャップ７３と嵌合し、保持部材キャップ７３と一度接続すると外れにくい構造となっている。例えば保持部材本体７１は例えば凸部と凹部とのどちらか一方を有し、保持部材キャップ７３は凸部と凹部との他方を有し、それぞれが嵌め合うことで、保持部材本体７１と保持部材キャップ７３とは固定される。
【００１６】
保持部材キャップ７３は、波長変換部材３０を保持するために、波長変換部材３０と同じ形状の中空部７３ａを有している。この中空部７３ａは、保持部材キャップ７３を貫通している。図１Ａに示すように中空部７３ａの前方側の開口部は、波長変換光の出射開口部となっている。
【００１７】
光源１０は、例えば小型で低消費電力であるＬＥＤ、または半導体レーザなどである。光源１０は、例えば光ファイバ１３やレンズなどの光学素子を含んでいる。光源１０は、波長変換部材３０に向けて励起光を出射する出射端面１０ａを有している。出射端面１０ａは、光源１０において最も前方に配設されている。本実施形態における出射端面１０ａは、波長変換部材３０側の光ファイバ１３の端面１３ａとなっている。この出射端面１０ａは、後述する波長変換部材３０の入射端面３０ａと隣接または隣り合う端面である。なお光ファイバ１３は、保持部材本体７１に配設されている孔７１ａに嵌合または接着されている。これにより出射端面１０ａ（端面１３ａ）は、周囲を保持部材本体７１によって保持されることとなる。
【００１８】
波長変換部材３０は、励起光を吸収することで励起光とは異なる波長の光（例えば蛍光）を出射する蛍光粒子と、励起光及び蛍光を高効率に透過するバインダ部材とを有している。バインダ部材は、例えばシリコーン樹脂やエポキシ樹脂やガラスなどである。波長変換部材３０は、蛍光粒子をバインダ部材に分散させることが好適である。波長変換部材３０は、さらには、蛍光粒子を波長変換部材３０の一部の空間に分散させ、その他の空間はバインダ部材のみの状態も好適である。
【００１９】
波長変換部材３０は、保持部材本体７１と保持部材キャップ７３とが接続し、波長変換部材３０が光軸１１上に配設されている際、励起光が入射し、励起光の出射方向に対して出射端面１０ａの前方に配設され、且つ出射端面１０ａと隣接または隣り合うように配設されている入射端面３０ａを有している。入射端面３０ａは、出射端面１０ａと同じ大きさ、または出射端面１０ａよりも大きい。
【００２０】
図１Ｂに示すように、波長変換部材３０が保持部材キャップ７３に保持された状態において、出射端面１０ａを含む波長変換部材３０の後方３０ｂ側は、保持部材キャップ７３から突出している。また図１Ａに示すように、保持部材本体７１と保持部材キャップ７３とが接続した際、出射端面１０ａを含む波長変換部材３０の後方３０ｂ側は、出射端面１０ａと隣接または隣り合うように保持部材本体７１側に配設されている。
【００２１】
波長変換部材３０は例えば円錐台形状を有しており、波長変換部材３０から蛍光が出射する出射端面３０ｃは入射端面３０ａよりも大きい。出射端面３０ｃは励起光の出射方向に対して入射端面３０ａよりも前方に配設されている。
【００２２】
密度低減部５０は、入射端面３０ａと入れ替わって出射端面１０ａと隣接または隣り合い、励起光が入射することで、出射端面１０ａから出射した直後の励起光の密度を低減し、密度が低減された励起光を出射する例えばガラスなどの低減本体部５１と、保持部材本体７１と保持部材キャップ７３とが分離し、波長変換部材３０が光軸１１上から脱落し、出射端面１０ａと入射端面３０ａとが離間した際、低減本体部５１が入射端面３０ａに入れ替わって出射端面１０ａと隣接または隣り合うように低減本体部５１を可動する可動部５５とを有している。
【００２３】
保持部材本体７１は、光軸１１に対して直交する平面上において、つまり側方１１ａ側に凹部７１ｂを有している。凹部７１ｂの端面７１ｃは、例えば出射端面１０ａと同一平面となっている。凹部７１ｂは、光軸１１に向かって開口している開口部７１ｄを有している。凹部７１ｂには、低減本体部５１と可動部５５とが配設されている。
【００２４】
例えば保持部材本体７１と保持部材キャップ７３とが接続し、波長変換部材３０が光軸１１上に配設され、出射端面１０ａと入射端面３０ａとが隣接または隣り合っている際、低減本体部５１と可動部５５とは、凹部７１ｂ、つまり出射端面１０ａと入射端面３０ａとに対して側方１１ａ（光軸１１の外側）に配設されていることとなる。なお可動部５５は、光軸１１に向かって開口している開口部７１ｄによって低減本体部５１を光軸１１側に可動可能となっている。
【００２５】
可動部５５は、凹部７１ｂと低減本体部５１とに固定されている。可動部５５は、光軸１１に直交する方向に伸縮することで、光軸１１に直交する方向に、低減本体部５１を、側方１１ａ側から光軸１１側に押圧または光軸１１側から側方１１ａ側に引っ張る例えばバネなどの線形可動部である。より詳細には、可動部５５は、外部応力に伴い直線的に伸縮し、外部応力が減少すると可逆的にもとの形状に戻る特性を有している。外部応力とは、例えば波長変換部材３０からの反力である。
【００２６】
図１Ａに示すように、保持部材本体７１と保持部材キャップ７３とが接続し、波長変換部材３０が光軸１１上に配設され、出射端面１０ａと入射端面３０ａとが隣接または隣り合っている際、可動部５５は、縮むことで、低減本体部５１を側方１１ａ側から光軸１１側に押圧する。このとき可動部５５は、低減本体部５１を波長変換部材３０の入射端面３０ａ側の側面３０ｆに向かって押圧し、低減本体部５１を介して波長変換部材３０を保持部材本体７１に固定する。可動部５５は、このような付勢力を有している。
【００２７】
なお低減本体部５１は、上記のように可動部５５の付勢力によって側面３０ｆと当接する端面５１ａを有している。端面５１ａは、低減本体部５１の光軸１１側の配設されている端面であり、当接する側面３０ｆと同じ形状を有している。側面３０ｆは傾斜面となっているために、端面５１ａも傾斜面となっている。光軸１１に対する側面３０ｆの傾斜角度は、光軸１１に対する端面５１ａの傾斜角度と略同一である。端面５１ａ全面は、可動部５５の付勢力によって、側面３０ｆに密着する。
【００２８】
また図１Ｂに示し上述したように、保持部材本体７１と保持部材キャップ７３とが分離し、波長変換部材３０が光軸１１上から脱落し、出射端面１０ａと入射端面３０ａとが離間した際、可動部５５は、低減本体部５１を側方１１ａ側から光軸１１側に押圧し、低減本体部５１を入射端面３０ａに入れ替え、低減本体部５１を出射端面１０ａと隣接または隣り合わせるように低減本体部５１を可動する。可動部５５は、このような付勢力を有している。
【００２９】
低減本体部５１は、低減本体部５１が出射端面１０ａと隣接または隣り合う際、出射端面１０ａと隣接または隣り合い、出射端面１０ａから出射された励起光が入射する端面５１ｂを有している。端面５１ｂは、低減本体部５１が出射端面１０ａと隣接または隣り合う際、低減本体部５１の出射端面１０ａ側に配設されている端面である。端面５１ｂの大きさは、少なくとも出射端面１０ａと同じ大きさであり、出射端面１０ａよりも大きい。低減本体部５１が出射端面１０ａと隣接または隣り合う際、低減本体部５１の端面５１ｂが出射端面１０ａの前方に立ち塞がるように、可動部５５は低減本体部５１を可動する。
【００３０】
低減本体部５１は、出射端面１０ａと隣接または隣り合い、励起光が出射端面１０ａから自身（低減本体部５１，端面５１ｂ）に入射した際、出射端面１０ａから出射した直後の励起光の密度を低減するために、出射端面１０ａから自身（低減本体部５１，端面５１ｂ）に入射した励起光を、散乱、反射、吸収、または励起光とは異なる波長の光に変換する。そして低減本体部５１は、出射端面１０ａから出射した際の密度が散乱などによって低減された状態の励起光を出射する。なお低減本体部５１は、出射端面１０ａから出射した際の励起光の密度を、所望の安全レベルにまで低減する。この安全レベルとは、例えば励起光が使用者の目を照射することで使用者の視神経を傷つけてしまうといったような、励起光によって使用者に負担がかかってしまうことを防止できる状態の励起光の密度を示す。
【００３１】
なお図１Ｂに示すように、保持部材本体７１は、保持部材本体７１と保持部材キャップ７３とが分離し、波長変換部材３０が光軸１１上から脱落し、出射端面１０ａと入射端面３０ａとが離間した際、低減本体部５１が入射端面３０ａと入れ替わって出射端面１０ａと隣接または隣り合い、低減本体部５１の端面５１ｂが出射端面１０ａの前方に立ち塞がるように、低減本体部５１に対する可動部５５の可動を規定する規定部７５を有している。図１Ｂに示すように、規定部７５は、可動部５５によって可動された低減本体部５１の端面５１ａが当接する当接面である。そのため規定部７５は、端面５１ａと同じ形状を有していることが好適である。規定部７５は、光軸１１に対して直交する平面上、つまり側方１１ａに配設されている。より詳細には、規定部７５は、図１Ａに示すように、保持部材本体７１と保持部材キャップ７３とが接続し、波長変換部材３０が光軸１１上に配設され、出射端面１０ａと入射端面３０ａとが隣接または隣り合っている際、光軸１１を挟んで密度低減部５０とは対称となるように配設されている。言い換えると密度低減部５０と規定部７５とは、光軸１１に直交する方向において、同一直線上に配設されている。規定部７５は、低減本体部５１の端面５１ａが当接する保持部材本体７１の内周面７１ｆの一部である。このように規定部７５は、ストッパーとなっている。
【００３２】
次に本実施形態の動作方法について説明する。  
図１Ａに示すように、光源１０と密度低減部５０とを保持している保持部材本体７１と、波長変換部材３０を保持している保持部材キャップ７３とが接続している状態において、波長変換部材３０が光軸１１上に配設され、出射端面１０ａと入射端面３０ａとが隣接または隣り合っている。
【００３３】
このとき、低減本体部５１と可動部５５とは、凹部７１ｂ、つまり出射端面１０ａと入射端面３０ａとに対して側方１１ａに配設されている。またこのとき、可動部５５は、自身の付勢力によって、光軸１１に直交する方向に沿って、低減本体部５１を波長変換部材３０の入射端面３０ａ側の側面３０ｆに向かって押圧し、低減本体部５１を介して波長変換部材３０を保持部材本体７１に固定する。可動部５５によって押圧される低減本体部５１において、光軸１１側の低減本体部５１の端面５１ａは、波長変換部材３０の入射端面３０ａ側の側面３０ｆと同じ形状を有しているため、ずれやぐらつきや摺動などすることなく、側面３０ｆに密着する。低減本体部５１は、端面５１ａが側面３０ｆに密着した状態で、波長変換部材３０を保持部材本体７１に押圧し、波長変換部材３０を保持部材本体７１に固定する。これにより、出射端面１０ａと入射端面３０ａとは、ずれることなく隣接または隣り合い、波長変換部材３０は光軸１１上にぐらつくことなく配設される。
【００３４】
また図１Ｂに示すように、保持部材本体７１と保持部材キャップ７３とが分離し、波長変換部材３０が光軸１１上から脱落し、出射端面１０ａと入射端面３０ａとが離間した際、可動部５５は、自身の付勢力が解放されるために、光軸１１に直交する方向に沿って、低減本体部５１を側方１１ａ側から光軸１１側に瞬時に押圧する。そして可動部５５は、低減本体部５１（端面５１ｂ）を入射端面３０ａと入れ替え、低減本体部５１（端面５１ｂ）を出射端面１０ａと隣接または隣り合わせるように低減本体部５１を可動する。このとき規定部７５は、低減本体部５１が入射端面３０ａに直ちに入れ替わって出射端面１０ａと隣接または隣り合い、低減本体部５１の端面５１ｂが出射端面１０ａの前方に立ち塞がるように、端面５１ａを受け止めて、低減本体部５１に対する可動部５５の可動を規定する。規定部７５によって規定される低減本体部５１において、低減本体部５１の端面５１ａは、規定部７５と同じ形状を有しているために、ずれやぐらつきや摺動などすることなく、規定部７５に密着した状態となる。そのため低減本体部５１は、ずれがなく、ぐらつくことなく出射端面１０ａの前方に立ち塞がり、出射端面１０ａと隣接または隣り合う。
【００３５】
低減本体部５１は、出射端面１０ａから自身（低減本体部５１，端面５１ｂ）に入射した励起光を、散乱、反射、吸収、または励起光とは異なる波長の光に変換する。これにより出射端面１０ａから出射した直後の励起光の密度は、低減本体部５１によって安全レベルにまで低減する。
【００３６】
このように本実施形態では、波長変換部材３０が脱落しても、波長変換部材３０に入れ替わるようにして密度低減部５０を出射端面１０ａに隣接または隣り合わせることで、出射端面１０ａから出射された直後の励起光の密度を低減することができる。またこれにより、本実施形態では、励起光によって使用者に負担がかかってしまうことを防止でき、所望の安全性を保つことができる。
【００３７】
また本実施形態では、波長変換部材３０が光軸１１上から脱落した際に、低減本体部５１を出射端面１０ａに隣接または隣り合わせているために、出射端面１０ａから出射した直後の励起光の密度を低減することができ、より高い安全性を保つことができる。
【００３８】
また本実施形態では、可動部５５によって、低減本体部５１を波長変換部材３０に押圧することで、波長変換部材３０を保持部材本体７１に固定できる。これにより本実施形態では、波長変換部材３０を光軸１１上にぐらつくことなく固定でき（波長変換部材３０の位置を固定でき）、所望の光量を有するピーク波長の光を波長変換部材３０によって出射することができる。
【００３９】
また本実施形態では、波長変換部材３０が光軸１１上から脱落した際、可動部５５によって、例えば波長変換部材３０に入れ替わるようにして密度低減部５０を出射端面１０ａに容易に隣接または隣り合わせることができる。
【００４０】
また本実施形態では、保持部材本体７１が出射端面１０ａを固定することで、光軸１１の位置を常に固定でき、結果的に、密度低減部５０側を可動させるのみですむために、構造を簡素にすることができる。
【００４１】
また本実施形態では、出射端面１０ａと入射端面３０ａとが隣接または隣り合っている際、密度低減部５０を入射端面３０ａに対して側方１１ａに配設することで、構造を簡素にすることができ、密度低減部５０を出射端面１０ａに素早く隣接または隣り合わせることができる。
【００４２】
また本実施形態では、保持部材本体７１によって光源１０と密度低減部５０とを保持させ、保持部材キャップ７３によって波長変換部材３０を保持させることで、保持部材本体７１と保持部材キャップ７３とを分離させることで、密度低減部５０を出射端面１０ａに容易に隣接または隣り合わせることができる。
【００４３】
また本実施形態では、保持部材本体７１と保持部材キャップ７３とが接続している。これにより本実施形態では、保持部材本体７１と光源１０との固着力と、保持部材本体７１と密度低減部５０との固着力と、保持部材キャップ７３と波長変換部材３０との固着力とが、光源１０や波長変換部材３０の発熱などによって経時的に低下しても、光源１０と波長変換部材３０とが光軸１１上から脱落することを防止することができる。
【００４４】
また本実施形態では、保持部材本体７１と保持部材キャップ７３とが分離する以外では、出射端面１０ａと入射端面３０ａとは隣接または隣り合うために、所望の安全性を維持することができる。また本実施形態では、保持部材本体７１と保持部材キャップ７３とが分離し、波長変換部材３０が光軸１１上から脱落しても、低減本体部５１が出射端面１０ａと隣接または隣り合うために、所望の安全性を維持することができる。
【００４５】
また本実施形態では、密度低減部５０によって、励起光を散乱、反射、吸収、または励起光とは異なる波長の光に変換することで、出射した直後の励起光の密度を低減することができる。  
なお本実施形態では、密度低減部５０が励起光を散乱することで、励起光の出射角度を広くすることができ、例えば人間の眼内といった一点に集光することを防止することができる。  
また本実施形態では、密度低減部５０が励起光を反射することで、励起光が光源１０や光源１０周辺を照射し、光源１０及び光源１０周辺の光吸収性により出射エネルギーを小さくすることができ、例えば使用者の眼内といった一点に強く集光することを防止することができる。  
また本実施形態では、密度低減部５０が励起光を吸収することで、励起光の出射エネルギーを小さくすることができ、例えば使用者の眼内といった一点に強く集光することを防止することができる。また本実施形態では、密度低減部５０が励起光を吸収することで、励起光を熱に変換してもよい。  
また本実施形態では、密度低減部５０が励起光を励起光とは異なる波長の光に変換することで、この光を警告等として使用者に認識させることができる。  
また本実施形態では、規定部７５によって、低減本体部５１に対する可動部５５の可動を規定できるために、確実に低減本体部５１を入射端面３０ａに入れ替えて出射端面１０ａと隣接または隣り合わすことができ、低減本体部５１の端面を出射端面１０ａの前方に立ち塞がらせることができる。
【００４６】
なお本実施形態では、可動部５５が低減本体部５１を押圧して波長変換部材３０を保持部材本体７１に固定し出射端面１０ａに隣接または隣り合わせていたが、これに限定する必要はない。本実施形態では、可動部５５が低減本体部５１を引っ張ることで上記動作を実行してもよい。
【００４７】
次に、本発明に係る第２の実施形態について図２Ａと図２Ｂと図２Ｃと図２Ｄとを参照して説明する。なお、第１の実施形態と同一の構成については、第１の実施形態と同一の参照符号を付すことにより説明を省略する。  
本実施形態の可動部５５は、光軸１１に対して直交する平面上において、低減本体部５１を回動させるバネなどの回動可動部となっている。可動部５５は、光軸１１と略平行に配設され、低減本体部５１が光軸１１に対して直交する平面上にて回動するための回動軸５５ａとなっている。可動部５５は、低減本体部５１を光軸１１に対して直交する平面上にて回動させる、言い換えると低減本体部５１を光軸１１に平行な方向の周方向に回動させる弾性力を有している。より詳細には、可動部５５は、外部応力に伴いを回動しながら応力を蓄積し、外部応力が減少すると可逆的に元の形状に戻る特性を有している。
【００４８】
図２Ｂと図２Ｄとに示すように、本実施形態の規定部７５は、低減本体部５１の回動線上に配設されており、保持部材７０の一部ではなく、保持部材７０とは別体として配設されている。
【００４９】
図２Ａに示すように、波長変換部材３０が光軸１１上に配設されるように保持部材７０によって保持され、出射端面１０ａと入射端面３０ａとが隣接または隣り合っている際、可動部５５は、低減本体部５１を光軸１１に対して直交する平面上にて回動させる弾性力によって、図２Ｂに示すように、低減本体部５１の側面５１ｃを波長変換部材３０に向けて押圧し、結果的に、波長変換部材３０を保持部材７０に固定する。
【００５０】
また図２Ｃに示すように、波長変換部材３０が光軸１１上から脱落し、出射端面１０ａと入射端面３０ａとが離間した際、可動部５５は、弾性力によって、低減本体部５１を光軸１１に直交する平面上にて回動させ、出射端面１０ａに低減本体部５１を隣接または隣り合わせる。このとき図２Ｄに示すように、規定部７５は、低減本体部５１が出射端面１０ａに隣接または隣り合うように低減本体部５１の動きを規定する。
【００５１】
なお本実施形態の保持部材本体７１と保持部材キャップ７３とは、予め一体となっていてもよい。
【００５２】
本実施形態では、第１の実施形態のように可動部５５と低減本体部５１と規定部７５とが側方１１ａにて同一直線上に配設されることがないために、照明装置１を省スペース及び小型にすることができる。
【００５３】
次に、本発明に係る第３の実施形態について図３Ａと図３Ｂとを参照して説明する。なお、第１の実施形態と同一の構成については、第１の実施形態と同一の参照符号を付すことにより説明を省略する。  
本実施形態の可動部５５は、光軸１１を含む平面上において、低減本体部５１を回動させるバネなどの回動可動部となっている。可動部５５は、光軸１１に対して略直交して配設され、低減本体部５１が光軸１１を含む平面上にて回動するための回動軸５５ｃとなっている。可動部５５は、低減本体部５１を光軸１１含む平面上にて回動させる、言い換えると低減本体部５１を光軸１１に直交する方向の周方向に回動させる弾性力を有している。より詳細には、可動部５５は、外部応力に伴い回動しながら応力を蓄積し、外部応力が減少すると可逆的に元の形状に戻る特性を有している。
【００５４】
本実施形態の規定部７５は、出射端面１０ａ近傍における保持部材７０となっている。
【００５５】
図３Ａに示すように、波長変換部材３０が光軸１１上に配設されるように保持部材７０によって保持され、出射端面１０ａと入射端面３０ａとが隣接または隣り合っている際、可動部５５は、低減本体部５１を、光軸１１を含む平面上にて回動させる弾性力によって、低減本体部５１の端面５１ｂを波長変換部材３０（側面３０ｆ）に向けて押圧し、結果的に波長変換部材３０を保持部材７０に固定する。
【００５６】
また図３Ｂに示すように、波長変換部材３０が光軸１１上から脱落し、出射端面１０ａと入射端面３０ａとが離間した際、可動部５５は、弾性力によって、低減本体部５１を、光軸１１を含む平面上にて回動させて、出射端面１０ａに低減本体部５１を隣接または隣り合わせる。このとき規定部７５は、低減本体部５１が出射端面１０ａに隣接または隣り合うように低減本体部５１の動きを規定する。
【００５７】
本実施形態では、第２の実施形態と同様の効果を得ることができ、さらに、規定部７５を保持部材７０が兼ねるために、より省スペース及び小型にすることができ、より安全性を高めることができる。また本実施形態では、保持部材７０が規定部７５を兼ねることで、規定部７５を配設する必要がなく、照明装置１を簡素にでき、安全性をより確保することができる。
【００５８】
また本実施形態では、端面５１ｂ全体で波長変換部材３０を保持部材７０に固定するために、波長変換部材３０を光軸１１上にぐらつくことなく固定でき（波長変換部材３０の位置を固定でき）、所望の光量を有するピーク波長の光を波長変換部材３０によってより出射することができる。
【００５９】
次に、本発明に係る第４の実施形態について図４Ａと図４Ｂとを参照して説明する。なお、第１の実施形態と同一の構成については、第１の実施形態と同一の参照符号を付すことにより説明を省略する。  
本実施形態の低減本体部５１と可動部５５とは、光軸１１を介して対称となるように配設され、光軸１１に対して直交する方向にて同一直線上に配設されている。
【００６０】
本実施形態では、低減本体部５１が磁性を有する例えば鉄材であり、可動部５５が低減本体部５１を引き合う磁力を有する磁石であればよい。もちろん両方が互いを引き合ってもよい。磁力は、光軸１１に対して直交する方向に作用する。本実施形態では可動部５５は、規定部７５を兼ねており、さらに保持部材７０の一部でもある。
【００６１】
低減本体部５１と可動部５５と以外の他の部材は、磁力を持たず、磁力に影響されない材料で形成されていることが好適である。
【００６２】
図４Ａに示すように、波長変換部材３０が光軸１１上に配設され、出射端面１０ａと入射端面３０ａとが隣接または隣り合っている際、磁石である可動部５５は、磁力によって光軸１１に対して直交する方向にて低減本体部５１を引き合うことで、低減本体部５１によって波長変換部材３０を押圧し、結果的に波長変換部材３０を保持部材７０に固定する。  
また図４Ｂに示すように、波長変換部材３０が光軸１１上から脱落し、出射端面１０ａと入射端面３０ａとが離間した際、可動部５５は、磁力によって光軸１１に対して直交する方向に低減本体部５１を引き合うことで、出射端面１０ａに低減本体部５１を隣接または隣り合わせ、さらに低減本体部５１が出射端面１０ａに隣接または隣り合うように低減本体部５１の動きを規定する。
【００６３】
本実施形態では、保持部材７０の一部が可動部５５と規定部７５とを兼ねるため、部品点数を削減でき、簡素、省スペース、小型化、低コスト、安価にすることができる。
【００６４】
なお低減本体部５１と可動部５５とが互いに引き合う場合、可動部５５は、保持部材７０と別体である必要がある。また本実施形態では、コイルと電力とを用いて、強力な磁力を発生させてもよい。
【００６５】
次に、本発明に係る第５の実施形態について図５Ａと図５Ｂとを参照して説明する。なお、第１の実施形態と同一の構成については、第１の実施形態と同一の参照符号を付すことにより説明を省略する。  
本実施形態の低減本体部５１は、可動部５５を兼ねており、可動部５５となる弾性力を有し、この弾性力によって光軸１１に対して直交する方向に伸縮、つまり収縮または膨張する。密度低減部５０は、例えばゴム製の材料や発砲合成樹脂の材料などである。
【００６６】
図５Ａに示すように、波長変換部材３０が光軸１１上に配設され、出射端面１０ａと入射端面３０ａとが隣接または隣り合っている際、低減本体部５１は、光軸１１に対して直交する方向に例えば縮む（収縮する）ことで、自身の弾性力によって波長変換部材３０を押圧し、結果的に波長変換部材３０を保持部材７０に固定する。  
また図５Ｂに示すように、波長変換部材３０が光軸１１上から脱落し、出射端面１０ａと入射端面３０ａとが離間した際、低減本体部５１は、自身の弾性力によって光軸１１に対して直交する方向に例えば伸びる（膨張する）ことで、出射端面１０ａに隣接または隣り合い、入射端面３０ａから出射した直後の励起光の密度を低減する。
【００６７】
本実施形態では、密度低減部５０が可動部５５を含んでいるために、部品点数を削減でき、省スペース、小型化、低コスト、安価にすることができる。
【符号の説明】
【００６８】
１…照明装置、１０…光源、１０ａ…出射端面、１１…光軸、１１ａ…側方、１３…光ファイバ、１３ａ…端面、３０…波長変換部材、３０ａ…入射端面、３０ｂ…後方、３０ｃ…出射端面、３０ｆ…側面、５０…密度低減部、５１…低減本体部、５１ａ…端面、５１ｂ…端面、５１ｃ…側面、５５…可動部、５５ａ…回動軸、５５ｃ…回動軸、７０…保持部材、７１…保持部材本体、７１ａ…孔、７１ｂ…凹部、７１ｃ…端面、７１ｄ…開口部、７１ｆ…内周面、７３…保持部材キャップ、７３ａ…中空部、７５…規定部。
【図１Ａ】
2012074620.tif 000003
【図１Ｂ】
2012074620.tif 000004
【図２Ａ】
2012074620.tif 000005
【図２Ｂ】
2012074620.tif 000006
【図２Ｃ】
2012074620.tif 000007
【図２Ｄ】
2012074620.tif 000008
【図３Ａ】
2012074620.tif 000009
【図３Ｂ】
2012074620.tif 000010
【図４Ａ】
2012074620.tif 000011
【図４Ｂ】
2012074620.tif 000012
【図５Ａ】
2012074620.tif 000013
【図５Ｂ】
2012074620.tif 000014
【図６】
2012074620.tif 000015